【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
複数の視野の画像情報を画像信号に符号化する方法であって、
−  前記画像信号に、第１カメラによって捕捉された１つ以上のオブジェクトを表現しているピクセル値の第１画像を付加するステップと、
−  前記画像信号に、前記第１画像のピクセルのそれぞれの集合に関して、前記ピクセルのそれぞれの集合によって表現されている前記１つ以上のオブジェクトの領域の空間における三次元の位置を表現しているそれぞれの値を含むマップを付加するステップと、
−  前記画像信号に、第２カメラによって捕捉された１つ以上のオブジェクトを表現しているピクセル値の第２画像の部分的な表現であって、前記１つ以上のオブジェクトの前記第１カメラに可視的でない領域を表現しているピクセルの大部分の情報を少なくとも有している部分的な表現を付加するステップと、
を有する方法。
【請求項２】
前記画像信号に、前記第２画像のピクセルのそれぞれの集合に関して、前記ピクセルのそれぞれの集合によって表現されている前記１つ以上のオブジェクトの領域の空間における三次元位置を表現しているそれぞれの値の部分的な表現を少なくとも含む第２マップを付加するステップを更に有する、請求項１に記載の方法。
【請求項３】
前記第１画像におけるピクセルの集合に対して、前記第２画像におけるピクセルの対応する集合を示しているずれベクトルを、ずれ計算アルゴリズムによって自動的に得るステップを有し、前記画像信号にマップを付加するステップが、前記画像信号に、前記ずれベクトルを含む前記マップを付加するステップからなる、請求項１又は２に記載の方法。
【請求項４】
範囲決定装置から、前記第１画像内のピクセルの集合に関してそれぞれの範囲を得るステップを有する請求項１又は２に記載の方法であって、前記画像信号にマップを付加するステップが、前記範囲を含む前記マップを付加するステップから成る、方法。
【請求項５】
前記マップの値は、前記画像信号への付加のステップの前に、人間によって微調整される、請求項１乃至４の何れか一項に記載の方法。
【請求項６】
前記部分的な表現が、前記画像信号に付加するステップの前に、人間によって微調整される、請求項１乃至５の何れか一項に記載の方法。
【請求項７】
前記画像信号に、第１オブジェクトと第２オブジェクトとの間の境界を示している、前記マップ内の位置を含む曲線のような、指示を付加するステップを更に有している、請求項２に記載の方法。
【請求項８】
前記画像信号に、前記第２画像の部分的な表現を付加するステップが、前記第２画像の部分的な表現内のピクセルの領域を取り囲んでいる取り囲み形状の表現を特定する及び前記画像信号に付加するステップを含んでいる、請求項１乃至７の何れか一項に記載の方法。
【請求項９】
前記画像信号に、前記第２画像の部分的な表現を付加するステップが、前記第２画像の符号化される必要がない領域を特定するステップを含んでいることを特徴とする、請求項１乃至７の何れか一項に記載の方法。
【請求項１０】
例えば、形態学的な分析のような、画像分析が、前記第２画像の部分的な表現内に含まれている領域において実施され、変形が、前記部分的な表現を前記画像信号に付加するステップの前に、前記部分的な表現に対して実施され、前記形態学的な分析が、例えば、それぞれの領域の最大幅の決定を含んでいる、請求項１乃至９の何れか一項に記載の方法。
【請求項１１】
複数の視野の画像情報の画像信号への符号化を生成する装置であって、
−  前記画像信号に、第１カメラによって捕捉された１つ以上のオブジェクトを表現しているピクセル値の第１画像を付加する手段と、
−  前記画像信号に、前記第１画像のピクセルのそれぞれの集合に関して、前記ピクセルのそれぞれの集合によって表されている前記１つ以上のオブジェクトの領域の空間における三次元の位置を表現しているそれぞれの値を有するマップを付加する手段と、
−  前記画像信号に、第２カメラによって捕捉された１つ以上のオブジェクトを表現しているピクセル値の第２画像の部分的な表現を付加する手段であって、前記部分的な表現は、前記１つ以上のオブジェクトの前記第１カメラに可視的でない領域を表現しているピクセルの大部分の情報を少なくとも含んでいる、手段と、
を有する装置。
【請求項１２】
前記第１画像内のピクセルの集合と前記第２画像内のピクセルの対応する集合との間のずれベクトルを推定する自動ずれ推定ユニットを更に有する、請求項１１に記載の装置。
【請求項１３】
前記マップの中身及び／又は前記部分的な表現にわたって人間のオペレータ制御を与えるユーザインターフェースユニットを更に有する、請求項１１又は１２に記載の装置。
【請求項１４】
画像信号から、第１カメラによって捕捉された１つ以上のオブジェクトを表現しているピクセルの値の第１画像を抽出する手段と、
前記画像信号から、前記第１画像のピクセルのそれぞれの集合に関して、前記ピクセルのそれぞれの集合によって表現されている前記１つ以上のオブジェクトの領域の空間における三次元位置を表現しているそれぞれの値を有しているマップを抽出する手段と、
前記画像信号から、第２カメラによって捕捉された１つ以上のオブジェクトを表現しているピクセル値の第２画像の部分的な表現を抽出する手段であって、前記部分的な表現は、前記１つ以上のオブジェクトの前記第１カメラに可視的でない領域を表現している前記ピクセルの大部分の情報を少なくとも有している手段と、
を有する画像信号受信機。
【請求項１５】
画像の少なくとも２つの視野の画像を生成することができる表示器であって、
−  請求項１４に記載の画像信号受信機と、
−  前記画像信号受信機によって受信された前記画像信号データから、２つの画像を生成する画像生成器と、
−  前記２つの画像から、前記表示器に適切な形式の更なる画像を生成する画像レンダリングユニットと、
を有する表示器。
【請求項１６】
画像信号から複数の視野の画像情報を抽出する方法であって、
−  前記画像信号から、第１カメラによって捕捉された１つ以上のオブジェクトを表現しているピクセル値の第１画像を抽出するステップと、
−  前記画像信号から、前記第１画像のピクセルのそれぞれの集合に関して、前記ピクセルのそれぞれの集合によって表現された前記１つ以上のオブジェクトの領域の空間における三次元位置を表現しているそれぞれの値を有するマップを抽出するステップと、
−  前記画像信号から、第２カメラによって捕捉された１つ以上のオブジェクトを表現しているピクセル値の第２画像の部分的な表現を抽出するステップであって、前記部分的な表現は、前記１つ以上のオブジェクトの前記第１カメラに可視的でない領域を表現している前記ピクセルの大部分の情報を少なくとも有している、ステップと、
を有する方法。
【請求項１７】
第１カメラによって捕捉された１つ以上のオブジェクトを表現しているピクセル値の第１画像と、
前記第１画像のピクセルのそれぞれの集合に関して、前記ピクセルのそれぞれの集合によって表現されている前記１つ以上のオブジェクトの領域の空間における三次元位置を表現しているそれぞれの値を有するマップと、
第２カメラによって捕捉された１つ以上のオブジェクトを表現しているピクセル値の第２画像の部分的な表現であって、前記１つのオブジェクトの前記第１カメラに可視的でない領域を表現している前記ピクセルの大部分の情報を少なくとも含んでいる部分的な表現と、
を有する画像信号。
【請求項１８】
前記マップは、グレー値又は色ピクチャにおいて符号化されており、前記ピクセルのそれぞれの集合に関してのスカラが、前記ピクチャのルマ又はクロミナンス表現において符号化されている、請求項１７に記載の画像信号。
【請求項１９】
前記部分的な表現が、前記第１画像に関連するが前記第１画像に関して使用されていない画像又はユーザデータ上にマッピングされている、請求項１７又は１８に記載の画像信号。